(57)【要約】      （修正有）【課題】セグメント化されたパワー調整可能なＬＥＤ駆動回路とＬＥＤランプを提供する。【解決手段】ＬＥＤ駆動回路は、定電流ＩＣチップＵ１と定電流ＩＣチップＵ１に接続された電力供給ユニットと、スイッチ制御ユニットと、駆動ユニットを含み、駆動ユニットは、スイッチ制御ユニットに接続され、ＬＥＤ駆動回路は、また、パワー調整ユニットを備え、パワー調整ユニットは、定電流ＩＣチップＵ１、スイッチ制御ユニットとに接続される。１２Ｗ、１５Ｗ、１８Ｗ、（或いは）さらにセグメント化されたパワー調整を採用し、ＬＥＤランプ、シーリングランプ、及び様々なＬＥＤのセグメント化されたパワー調整に適用され、電力変換効率の前提で、ＬＥＤランプのパワー調整を実現することを確保でき、適当にパワーを選択でき、消費者に効果的な省エネを与える。 【選択図】図２
0003201800.tif 000002
【実用新案登録請求の範囲】
【請求項１】
セグメント化されたパワー調整可能なＬＥＤ駆動回路に関し、定電流ＩＣチップＵ１と前記定電流ＩＣチップＵ１に接続された電力供給ユニットと、スイッチ制御ユニットと、駆動ユニットを含み、
前記駆動ユニットは、前記スイッチ制御ユニットに接続され、
前記ＬＥＤ駆動回路は、また、パワー調整ユニットを備え、
前記パワー調整ユニットは、前記定電流ＩＣチップＵ1、前記スイッチ制御ユニットと駆動ユニットに接続されることを特徴とする、ＬＥＤ駆動回路。
【請求項２】
前記電力供給ユニットは、３００Ｖの電圧入力端子、抵抗Ｒ３、抵抗Ｒ４、抵抗Ｒ５、コンデンサＣ１、ダイオードＤ１、コンデンサＣ５と抵抗Ｒ１０を含み、前記定電流ＩＣチップＵ１の内部乗数入力ピンＭＵＬＴは、抵抗Ｒ４と抵抗Ｒ５を介し、３００Ｖの電圧入力端子に接続されており、前記定電流ＩＣチップＵ１のゼロ電流検出ピンＺＣＤは、抵抗Ｒ１０を介し、接地しており、前記コンデンサＣ５は、前記抵抗Ｒ１０の両端に並列に接続されており、前記ダイオードＤ１のアノードは、接地しており、前記ダイオードＤ１のカソードは、前記定電流ＩＣチップＵ１のゼロ電流検出ピンＺＣＤに接続することを特徴とする請求項１に記載のセグメント化されたパワー調整可能なＬＥＤ駆動回路。
【請求項３】
前記抵抗Ｒ３とコンデンサＣ１の一端は、前記定電流ＩＣチップＵ１の内部乗数入力ピンＭＵＬＴに接続されており、他の一端は、接地することを特徴とする請求項２に記載のセグメント化されたパワー調整可能なＬＥＤ駆動回路。
【請求項４】
前記スイッチ制御ユニットは、電界効果トランジスタＱ１、ダイオードＤ３、抵抗Ｒ１５、抵抗Ｒ１６、抵抗Ｒ１１、コンデンサＣ８とコンデンサＣ１０を含み、前記電界効果トランジスタＱ１のゲートは、前記抵抗Ｒ１５を介し、前記定電流ＩＣチップＵ１のゲート駆動ピンＧＡＴＥに接続されており、前記電界効果トランジスタＱ１のドレインは、前記ダイオードＤ３と前記抵抗Ｒ１１を通って、３００Ｖの電圧入力端子に接続されており、前記電界効果トランジスタＱ１のゲートは、前記抵抗Ｒ１６を通って、前記定電流ＩＣチップＵ１の電流検出ピンＣＳに接続されることを特徴とする請求項３に記載のセグメント化されたパワー調整可能なＬＥＤ駆動回路。
【請求項５】
前記コンデンサＣ８は、前記抵抗Ｒ１１の両端に並列に接続されており、前記コンデンサＣ１０は、前記電界効果トランジスタＱ１のドレイとゲートとの間に接続されることを特徴とする請求項４に記載のセグメント化されたパワー調整可能なＬＥＤ駆動回路。
【請求項６】
前記駆動ユニットは、昇圧トランスＴ２、ダイオードＤ４、コンデンサＣ１４、コンデンサＣ１１と抵抗Ｒ１４を含み、前記昇圧トランスＴ２の第一の一次コイルの一端は、３００Ｖの電圧入力端子に接続されており、他の一端は、前記電界効果トランジスタＱ１のドレイに接続されている。前記昇圧トランスＴ２の第二の一次コイルの一端は、前記定電流ＩＣチップＵ１のゼロ電流検出ピンＺＣＤに接続されており、他の一端は、接地する。前記昇圧トランスＴ２の一次コイルの一端は、前記コンデンサＣ１４と前記コンデンサＣ１１を介し、ＬＥＤ負荷のアノードに接続する。前記昇圧トランスＴ２の一次コイルの他の一端は、ＬＥＤ負荷のカソードに接続することを特徴とする請求項５に記載のセグメント化されたパワー調整可能なＬＥＤ駆動回路。
【請求項７】
前記ダイオードＤ４のアノードは、前記昇圧トランスＴ２の一次コイルの一端に接続し、前記ダイオードＤ４のカソードは、前記コンデンサＣ１４の一端に接続されており、前記コンデンサＣ１４の他の一端は、ＬＥＤ負荷のカソードに接続することを特徴とする請求項６に記載のセグメント化されたパワー調整可能なＬＥＤ駆動回路。
【請求項８】
前記パワー調整ユニットは、多数の並列接続するスイッチ部を含み、各々のスイッチ部は、直列接続するスイッチと抵抗で構成され、各々のスイッチ部の一端は、接地し、他の一端は、前記抵抗Ｒ１６を通って、前記前記定電流ＩＣチップＵ１の電流検出ピンＣＳに接続されることを特徴とする請求項７に記載のセグメント化されたパワー調整可能なＬＥＤ駆動回路。
【請求項９】
前記スイッチ部は、三つあることを特徴とする請求項８に記載のセグメント化されたパワー調整可能なＬＥＤ駆動回路。
【請求項１０】
ＬＥＤランプであり、ランプハウジングを含み、前記ンプハウジングに設けられた電源は、上記請求項１〜９のいずれか一に記載の前記セグメント化されたパワー調整可能なＬＥＤ駆動回路の回路基板と前記セグメント化されたパワー調整可能なＬＥＤ駆動回路に接続されたＬＥＤ負荷を設け、前記ランプハウジングは、パワーシフトスイッチを設け、前記パワーシフトスイッチは、前記セグメント化されたパワー調整可能なＬＥＤ駆動回路に接続されることを特徴とする、ＬＥＤランプ。
【考案の詳細な説明】
【技術分野】
【０００１】
本考案は、ＬＥＤ照明の技術分野に関し、特に、セグメント化されたパワー調整可能なＬＥＤ駆動回路とＬＥＤランプに関する。
【背景技術】
【０００２】
ＬＥＤランプの光源は、発光ダイオードを利用する。従来の蛍光管は、蛍光ランプとして知られ、そのランプの両端は、おのおのフィラメントを有し、灯内管は、微量のアルゴン及び薄い水銀蒸気があり、灯内管の壁は、蛍光粉を塗り、二つフィラメントの間で気体導電が行っている時、紫外線を出させ、それによって、蛍光粉は、可視光線を出す。ＬＥＤランプは、多くの長所があり、一般的に、普通な照明、事務所、ショッピングモール、レストラン、学校、家庭、工場などの室内照明に使用される。
【０００３】
ＬＥＤランプは、普通に、ＬＥＤランプビーズ、アルミニウム板、電源等の部品で構成され、現在では、ＳＣＲ調光と遠隔調光器制御および電力調整可能なＬＥＤランプを採用することが可能である。しかしながら、前記ＬＥＤランプは、その調光回路を増加したため、損耗を増加し、電力変換効率を低下させ、しかも電力変換効率が低下するため、すべてのＬＥＤランプのルーメンを減少させ、それによって、コストがわりに高く、省エネの環境保護が良くない。
【考案の概要】
【考案が解決しようとする課題】
【０００４】
本考案の目的は、セグメント化されたパワー調整可能なＬＥＤ駆動回路とＬＥＤランプを提供し、１２Ｗ、１５Ｗ、１８Ｗ、（或いは）さらにセグメント化されたパワー調整を採用し、ＬＥＤランプ、シーリングランプ、及び様々なＬＥＤのセグメント化されたパワー調整に適用され、電力変換効率の前提で、ＬＥＤランプのパワー調整を実現することを確保でき、適当にパワーを選択でき、消費者に効果的な省エネを与える。
【課題を解決するための手段】
【０００５】
上述した目的を実現するために、本考案は、以下の技術方案を提供する：
セグメント化されたパワー調整可能なＬＥＤ駆動回路であり、前記ＬＥＤ駆動回路は、定電流ＩＣチップＵ１と前記定電流ＩＣチップＵ１に接続された電力供給ユニットと、スイッチ制御ユニットと、駆動ユニットを含み、前記駆動ユニットは、前記スイッチ制御ユニットに接続され、前記ＬＥＤ駆動回路は、また、パワー調整ユニットを備え、前記パワー調整ユニットは、前記定電流ＩＣチップＵ1、前記スイッチ制御ユニットと駆動ユニットに接続される。
【０００６】
更に、前記のセグメント化されたパワー調整可能なＬＥＤ駆動回路に、前記電力供給ユニットは、３００Ｖの電圧入力端子、抵抗Ｒ３、抵抗Ｒ４、抵抗Ｒ５、コンデンサＣ１、ダイオードＤ１、コンデンサＣ５と抵抗Ｒ１０を含み、前記定電流ＩＣチップＵ１の内部乗数入力ピンＭＵＬＴは、抵抗Ｒ４と抵抗Ｒ５を介し、３００Ｖの電圧入力端子に接続されており、前記定電流ＩＣチップＵ１のゼロ電流検出ピンＺＣＤは、抵抗Ｒ１０を介し、接地しており、前記コンデンサＣ５は、前記抵抗Ｒ１０の両端に並列に接続されており、前記ダイオードＤ１のアノードは、接地しており、前記ダイオードＤ１のカソードは、前記定電流ＩＣチップＵ１のゼロ電流検出ピンＺＣＤに接続する。
【０００７】
更に、前記のセグメント化されたパワー調整可能なＬＥＤ駆動回路に、前記抵抗Ｒ３とコンデンサＣ１の一端は、前記定電流ＩＣチップＵ１の内部乗数入力ピンＭＵＬＴに接続されており、他の一端は、接地する。
【０００８】
更に、前記のセグメント化されたパワー調整可能なＬＥＤ駆動回路に、前記スイッチ制御ユニットは、電界効果トランジスタＱ１、ダイオードＤ３、抵抗Ｒ１５、抵抗Ｒ１６、抵抗Ｒ１１、コンデンサＣ８とコンデンサＣ１０を含み、前記電界効果トランジスタＱ１のゲートは、前記抵抗Ｒ１５を介し、前記定電流ＩＣチップＵ１のゲート駆動ピンＧＡＴＥに接続されており、前記電界効果トランジスタＱ１のドレインは、前記ダイオードＤ３と前記抵抗Ｒ１１を通って、３００Ｖの電圧入力端子に接続されており、前記電界効果トランジスタＱ１のゲートは、前記抵抗Ｒ１６を通って、前記定電流ＩＣチップＵ１の電流検出ピンＣＳに接続される。
【０００９】
更に、前記のセグメント化されたパワー調整可能なＬＥＤ駆動回路に、前記コンデンサＣ８は、前記抵抗Ｒ１１の両端に並列に接続されており、前記コンデンサＣ１０は、前記電界効果トランジスタＱ１のドレイとゲートとの間に接続される。
【００１０】
更に、前記のセグメント化されたパワー調整可能なＬＥＤ駆動回路に、前記駆動ユニットは、昇圧トランスＴ２、ダイオードＤ４、コンデンサＣ１４、コンデンサＣ１１と抵抗Ｒ１４を含み、前記昇圧トランスＴ２の第一の一次コイルの一端は、３００Ｖの電圧入力端子に接続されており、他の一端は、前記電界効果トランジスタＱ１のドレイに接続されている。前記昇圧トランスＴ２の第二の一次コイルの一端は、前記定電流ＩＣチップＵ１のゼロ電流検出ピンＺＣＤに接続されており、他の一端は、接地する。前記昇圧トランスＴ２の一次コイルの一端は、前記コンデンサＣ１４と前記コンデンサＣ１１を介し、ＬＥＤ負荷のアノードに接続する。前記昇圧トランスＴ２の一次コイルの他の一端は、ＬＥＤ負荷のカソードに接続する。
【００１１】
更に、前記のセグメント化されたパワー調整可能なＬＥＤ駆動回路に、前記ダイオードＤ４のアノードは、前記昇圧トランスＴ２の一次コイルの一端に接続し、前記ダイオードＤ４のカソードは、前記コンデンサＣ１４の一端に接続されており、前記コンデンサＣ１４の他の一端は、ＬＥＤ負荷のカソードに接続する。
【００１２】
更に、前記のセグメント化されたパワー調整可能なＬＥＤ駆動回路に、前記パワー調整ユニットは、多数の並列接続するスイッチ部を含み、各々のスイッチ部は、直列接続するスイッチと抵抗で構成され、各々のスイッチ部の一端は、接地し、他の一端は、前記抵抗Ｒ１６を通って、前記前記定電流ＩＣチップＵ１の電流検出ピンＣＳに接続される。
【００１３】
更に、前記のセグメント化されたパワー調整可能なＬＥＤ駆動回路に、前記スイッチ部は、三つある。
【００１４】
また、本考案は、ＬＥＤランプを提供し、前記ＬＥＤランプは、ランプハウジングを含み、前記ンプハウジングに設けられた電源は、前記セグメント化されたパワー調整可能なＬＥＤ駆動回路の回路基板と前記セグメント化されたパワー調整可能なＬＥＤ駆動回路に接続されたＬＥＤ負荷を設け、前記ランプハウジングは、パワーシフトスイッチを設け、前記パワーシフトスイッチは、前記セグメント化されたパワー調整可能なＬＥＤ駆動回路に接続される。
【００１５】
また、本考案に関わるパワー調整可能にセグメント化されたＬＥＤ駆動回路とＬＥＤランプは、電力変換効率の前提で、ＬＥＤランプのパワー調整を実現することを確保でき、効果的に、ＬＥＤランプのコストを減少でき、省エネと環境保護のことに有利がある。
【図面の簡単な説明】
【００１６】
【図１】本考案に関わるセグメント化されたパワー調整可能なＬＥＤ駆動回路の原理を示す図である。
【図２】本考案に関わるセグメント化されたパワー調整可能なＬＥＤ駆動回路の具体回路図である。
【図３】本考案に関わるＬＥＤランプの立体図である。
【図４】本考案に関わるＬＥＤランプの断面図である。
【考案を実施するための形態】
【００１７】
本考案を容易に理解させるために、下記は、図面を参照し、本考案を完全に説明する。この図面に、本考案の好ましい実施形態を示す。しがしながら、本考案は、多くの異なる形態で実施することができ、本明細書に記載の実施形態に限定されるものではない。逆に、これらの実施形態の目的は、更に本考案の内容を明確にする。
【００１８】
図１と図２を参照し、本考案に関わるセグメント化されたパワー調整可能なＬＥＤ駆動回路は、定電流ＩＣチップＵ１と前記定電流ＩＣチップＵ１に接続された電力供給ユニット１と、スイッチ制御ユニット２と、駆動ユニット３を含み、前記駆動ユニット３は、前記スイッチ制御ユニット２に接続され、前記ＬＥＤ駆動回路は、また、パワー調整ユニット４を備え、前記パワー調整ユニット４は、前記定電流ＩＣチップＵ1、前記スイッチ制御ユニット２と前記駆動ユニット３に接続される。
【００１９】
また、前記電力供給ユニット１は、３００Ｖの電圧入力端子、抵抗Ｒ３、抵抗Ｒ４、抵抗Ｒ５、コンデンサＣ１、ダイオードＤ１、コンデンサＣ５と抵抗Ｒ１０を含み、前記定電流ＩＣチップＵ１の内部乗数入力ピンＭＵＬＴは、抵抗Ｒ４と抵抗Ｒ５を介し、３００Ｖの電圧入力端子に接続されており、前記定電流ＩＣチップＵ１のゼロ電流検出ピンＺＣＤは、抵抗Ｒ１０を介し、接地しており、前記コンデンサＣ５は、前記抵抗Ｒ１０の両端に並列に接続されており、前記ダイオードＤ１のアノードは、接地しており、前記ダイオードＤ１のカソードは、前記定電流ＩＣチップＵ１のゼロ電流検出ピンＺＣＤに接続する。
【００２０】
また、前記抵抗Ｒ３とコンデンサＣ１の一端は、前記定電流ＩＣチップＵ１の内部乗数入力ピンＭＵＬＴに接続されており、他の一端は、接地する。
【００２１】
前記スイッチ制御ユニット２は、電界効果トランジスタＱ１、ダイオードＤ３、抵抗Ｒ１５、抵抗Ｒ１６、抵抗Ｒ１１、コンデンサＣ８とコンデンサＣ１０を含み、前記電界効果トランジスタＱ１のゲートは、前記抵抗Ｒ１５を介し、前記定電流ＩＣチップＵ１のゲート駆動ピンＧＡＴＥに接続されており、前記電界効果トランジスタＱ１のドレインは、前記ダイオードＤ３と前記抵抗Ｒ１１を通って、３００Ｖの電圧入力端子に接続されており、前記電界効果トランジスタＱ１のゲートは、前記抵抗Ｒ１６を通って、前記定電流ＩＣチップＵ１の電流検出ピンＣＳに接続される。
【００２２】
前記コンデンサＣ８は、前記抵抗Ｒ１１の両端に並列に接続されており、前記コンデンサＣ１０は、前記電界効果トランジスタＱ１のドレイとゲートとの間に接続される。
【００２３】
前記駆動ユニット３は、昇圧トランスＴ２、ダイオードＤ４、コンデンサＣ１４、抵抗Ｒ１４とコンデンサＣ１１を含み、前記昇圧トランスＴ２の第一の一次コイルの一端は、３００Ｖの電圧入力端子に接続されており、他の一端は、前記電界効果トランジスタＱ１のドレイに接続されている。前記昇圧トランスＴ２の第二の一次コイルの一端は、前記定電流ＩＣチップＵ１のゼロ電流検出ピンＺＣＤに接続されており、他の一端は、接地する。前記昇圧トランスＴ２の一次コイルの一端は、前記コンデンサＣ１４と前記コンデンサＣ１１を介し、ＬＥＤ負荷のアノードに接続する。前記昇圧トランスＴ２の一次コイルの他の一端は、ＬＥＤ負荷のカソードに接続する。
【００２４】
前記ダイオードＤ４のアノードは、前記昇圧トランスＴ２の一次コイルの一端に接続し、前記ダイオードＤ４のカソードは、前記コンデンサＣ１４の一端に接続されており、前記コンデンサＣ１４の他の一端は、ＬＥＤ負荷のカソードに接続する。本考案の実施例に、前記ＬＥＤ負荷のカソードが接地する。
【００２５】
前記パワー調整ユニット４は、多数の並列接続するスイッチ部を含み、各々のスイッチ部は、直列接続するスイッチと抵抗で構成され、各々のスイッチ部の一端は、接地し、他の一端は、前記抵抗Ｒ１６を通って、前記前記定電流ＩＣチップＵ１の電流検出ピンＣＳに接続される。
【００２６】
本考案の実施例に、前記スイッチ部は、三つある。すなわち、前記パワー調整ユニット４は、スイッチＳＷ１、スイッチＳＷ２、スイッチＳＷ３、抵抗Ｒ２１、抵抗Ｒ２２、と抵抗Ｒ２３を含み、前記スイッチＳＷ１は、前記抵抗Ｒ２１と直列に接続してあり、前記スイッチＳＷ２は、前記抵抗Ｒ２２と直列に接続してあり、前記スイッチＳＷ３は、前記抵抗Ｒ２３と直列に接続してある。
【００２７】
本考案の実施例に、前記定電流ＩＣチップＵ１のモデル番号は、ＭＰ４０２１ＤＳとなる。
【００２８】
本考案に関わるパワー調整可能にセグメント化されたＬＥＤ駆動回路の原理は、下記のようにある：
動作する際に、前記定電流ＩＣチップＵ１は、抵抗降下を検出することで、出力電流を制御する。第５ピンの電流検出ピンＣＳで検出された電圧が高ければ高いほどパワーが小さい。逆に、検出された電圧が低ければ低いほどパワーが大きくなる。従って、前記スイッチＳＷ１を取り外したら、前記抵抗Ｒ２１を接続し、前記スイッチＳＷ２を取り外したら、前記抵抗Ｒ２２を接続し、前記スイッチＳＷ３を取り外したら、前記抵抗Ｒ２３を接続し、すなわち、パワーの需要に応じて、抵抗を調整することでパワーを調整できる。その結果、１２Ｗ、１５Ｗ、１８Ｗ、（或いは）さらにセグメント化されたパワー調整を採用し、ＬＥＤランプ、シーリングランプ、及び様々なＬＥＤのセグメント化されたパワー調整に適用され、電力変換効率の前提で、ＬＥＤランプのパワー調整を実現することを確保でき、適当にパワーを選択でき、消費者に効果的な省エネを与える。
【００２９】
また、図３と図４を参照し、本考案は、ＬＥＤランプを提供し、前記ＬＥＤランプは、ランプハウジング１０を含み、前記ンプハウジング１０に設けられた電源２０は、前記セグメント化されたパワー調整可能なＬＥＤ駆動回路の回路基板３０と前記セグメント化されたパワー調整可能なＬＥＤ駆動回路に接続されたＬＥＤ負荷４０を設け、前記ランプハウジング１０は、パワーシフトスイッチ５０を設け、前記パワーシフトスイッチ５０は、前記セグメント化されたパワー調整可能なＬＥＤ駆動回路に接続される。
【００３０】
これまでの技術と比べで、本考案に関わるパワー調整可能にセグメント化されたＬＥＤ駆動回路とＬＥＤランプは、電力変換効率の前提で、ＬＥＤランプのパワー調整を実現することを確保でき、効果的に、ＬＥＤランプのコストを減少でき、省エネと環境保護のことに有利がある。
【００３１】
ここにある本考案の記載と応用は、説明することが目的であり、本考案の範囲を限定されるものではない。ここに開示された実施形態の変形と変更は、可能である。本考案に関わる技術領域の技術人員にとって、実施形態の変形と同等の代替的な部品は、知られている。本考案に関わる技術領域の技術人員は、知っておくべき、本考案の精神と基本的な範囲から逸脱することない場合で、他の特定の形式、結構、配置、比率、および他の部品、材料で本考案を実現することができる。本考案の基本的な範囲と精神から逸脱することない状況で、ここに開示された実施形態を変形と変更することができる。
【００３２】
Ｕ１          定電流ＩＣチップ
１            電力供給ユニット
２            スイッチ制御ユニット
３            駆動ユニット
４            パワー調整ユニット
Ｒ３、Ｒ４、Ｒ５、Ｒ１０                  抵抗
Ｒ１１、Ｒ１５、Ｒ１６                    抵抗
Ｃ１、Ｃ５、Ｃ８、Ｃ１０                  コンデンサ
Ｄ１、Ｄ３                  ダイオード
ＭＵＬＴ                    乗数入力ピン
ＺＣＤ                      ゼロ電流検出ピン
Ｑ１                        電界効果トランジスタ
ＣＳ                        電流検出ピンＣＳ
１０          ランプハウジング
２０          電源
３０          回路基板
４０          ＬＥＤ負荷
【図１】
0003201800.tif 000003
【図２】
0003201800.tif 000004
【図３】
0003201800.tif 000005
【図４】
0003201800.tif 000006
【手続補正書】
【提出日】平成27年9月28日(2015.9.28)
【手続補正１】
【補正対象書類名】明細書
【補正対象項目名】全文
【補正方法】変更
【補正の内容】
【考案の詳細な説明】
【技術分野】
【０００１】
本考案は、ＬＥＤ照明の技術分野に関し、特に、セグメント化されたパワー調整可能なＬＥＤ駆動回路とＬＥＤランプに関する。
【背景技術】
【０００２】
ＬＥＤランプの光源は、発光ダイオードを利用する。従来の蛍光管は、蛍光ランプとして知られ、そのランプの両端は、おのおのフィラメントを有し、灯内管は、微量のアルゴン及び薄い水銀蒸気があり、灯内管の壁は、蛍光粉を塗り、二つフィラメントの間で気体導電が行っている時、紫外線を出させ、それによって、蛍光粉は、可視光線を出す。ＬＥＤランプは、多くの長所があり、一般的に、普通な照明、事務所、ショッピングモール、レストラン、学校、家庭、工場などの室内照明に使用される。
【０００３】
ＬＥＤランプは、普通に、ＬＥＤランプビーズ、アルミニウム板、電源等の部品で構成され、現在では、ＳＣＲ調光と遠隔調光器制御および電力調整可能なＬＥＤランプを採用することが可能である。しかしながら、前記ＬＥＤランプは、その調光回路を増加したため、損耗を増加し、電力変換効率を低下させ、しかも電力変換効率が低下するため、すべてのＬＥＤランプのルーメンを減少させ、それによって、コストがわりに高く、省エネの環境保護が良くない。
【考案の概要】
【考案が解決しようとする課題】
【０００４】
本考案の目的は、セグメント化されたパワー調整可能なＬＥＤ駆動回路とＬＥＤランプを提供し、１２Ｗ、１５Ｗ、１８Ｗ、（或いは）さらにセグメント化されたパワー調整を採用し、ＬＥＤランプ、シーリングランプ、及び様々なＬＥＤのセグメント化されたパワー調整に適用され、電力変換効率の前提で、ＬＥＤランプのパワー調整を実現することを確保でき、適当にパワーを選択でき、消費者に効果的な省エネを与える。
【課題を解決するための手段】
【０００５】
上述した目的を実現するために、本考案は、以下の技術方案を提供する：
セグメント化されたパワー調整可能なＬＥＤ駆動回路であり、前記ＬＥＤ駆動回路は、定電流ＩＣチップＵ１と前記定電流ＩＣチップＵ１に接続された電力供給ユニットと、スイッチ制御ユニットと、駆動ユニットを含み、前記駆動ユニットは、前記スイッチ制御ユニットに接続され、前記ＬＥＤ駆動回路は、また、パワー調整ユニットを備え、前記パワー調整ユニットは、前記定電流ＩＣチップＵ1、前記スイッチ制御ユニットと駆動ユニットに接続される。
【０００６】
更に、前記のセグメント化されたパワー調整可能なＬＥＤ駆動回路に、前記電力供給ユニットは、３００Ｖの電圧入力端子、抵抗Ｒ３、抵抗Ｒ４、抵抗Ｒ５、コンデンサＣ１、ダイオードＤ１、コンデンサＣ５と抵抗Ｒ１０を含み、前記定電流ＩＣチップＵ１の内部乗数入力ピンＭＵＬＴは、抵抗Ｒ４と抵抗Ｒ５を介し、３００Ｖの電圧入力端子に接続されており、前記定電流ＩＣチップＵ１のゼロ電流検出ピンＺＣＤは、抵抗Ｒ１０を介し、接地しており、前記コンデンサＣ５は、前記抵抗Ｒ１０の両端に並列に接続されており、前記ダイオードＤ１のアノードは、接地しており、前記ダイオードＤ１のカソードは、前記定電流ＩＣチップＵ１のゼロ電流検出ピンＺＣＤに接続する。
【０００７】
更に、前記のセグメント化されたパワー調整可能なＬＥＤ駆動回路に、前記抵抗Ｒ３とコンデンサＣ１の一端は、前記定電流ＩＣチップＵ１の内部乗数入力ピンＭＵＬＴに接続されており、他の一端は、接地する。
【０００８】
更に、前記のセグメント化されたパワー調整可能なＬＥＤ駆動回路に、前記スイッチ制御ユニットは、電界効果トランジスタＱ１、ダイオードＤ３、抵抗Ｒ１５、抵抗Ｒ１６、抵抗Ｒ１１、コンデンサＣ８とコンデンサＣ１０を含み、前記電界効果トランジスタＱ１のゲートは、前記抵抗Ｒ１５を介し、前記定電流ＩＣチップＵ１のゲート駆動ピンＧＡＴＥに接続されており、前記電界効果トランジスタＱ１のドレインは、前記ダイオードＤ３と前記抵抗Ｒ１１を通って、３００Ｖの電圧入力端子に接続されており、前記電界効果トランジスタＱ１のゲートは、前記抵抗Ｒ１６を通って、前記定電流ＩＣチップＵ１の電流検出ピンＣＳに接続される。
【０００９】
更に、前記のセグメント化されたパワー調整可能なＬＥＤ駆動回路に、前記コンデンサＣ８は、前記抵抗Ｒ１１の両端に並列に接続されており、前記コンデンサＣ１０は、前記電界効果トランジスタＱ１のドレインとゲートとの間に接続される。
【００１０】
更に、前記のセグメント化されたパワー調整可能なＬＥＤ駆動回路に、前記駆動ユニットは、昇圧トランスＴ２、ダイオードＤ４、コンデンサＣ１４、コンデンサＣ１１と抵抗Ｒ１４を含み、前記昇圧トランスＴ２の第一の一次コイルの一端は、３００Ｖの電圧入力端子に接続されており、他の一端は、前記電界効果トランジスタＱ１のドレインに接続されている。前記昇圧トランスＴ２の第二の一次コイルの一端は、前記定電流ＩＣチップＵ１のゼロ電流検出ピンＺＣＤに接続されており、他の一端は、接地する。前記昇圧トランスＴ２の一次コイルの一端は、前記コンデンサＣ１４と前記コンデンサＣ１１を介し、ＬＥＤ負荷のアノードに接続する。前記昇圧トランスＴ２の一次コイルの他の一端は、ＬＥＤ負荷のカソードに接続する。
【００１１】
更に、前記のセグメント化されたパワー調整可能なＬＥＤ駆動回路に、前記ダイオードＤ４のアノードは、前記昇圧トランスＴ２の一次コイルの一端に接続し、前記ダイオードＤ４のカソードは、前記コンデンサＣ１４の一端に接続されており、前記コンデンサＣ１４の他の一端は、ＬＥＤ負荷のカソードに接続する。
【００１２】
更に、前記のセグメント化されたパワー調整可能なＬＥＤ駆動回路に、前記パワー調整ユニットは、多数の並列接続するスイッチ部を含み、各々のスイッチ部は、直列接続するスイッチと抵抗で構成され、各々のスイッチ部の一端は、接地し、他の一端は、前記抵抗Ｒ１６を通って、前記前記定電流ＩＣチップＵ１の電流検出ピンＣＳに接続される。
【００１３】
更に、前記のセグメント化されたパワー調整可能なＬＥＤ駆動回路に、前記スイッチ部は、三つある。
【００１４】
また、本考案は、ＬＥＤランプを提供し、前記ＬＥＤランプは、ランプハウジングを含み、前記ンプハウジングに設けられた電源は、前記セグメント化されたパワー調整可能なＬＥＤ駆動回路の回路基板と前記セグメント化されたパワー調整可能なＬＥＤ駆動回路に接続されたＬＥＤ負荷を設け、前記ランプハウジングは、パワーシフトスイッチを設け、前記パワーシフトスイッチは、前記セグメント化されたパワー調整可能なＬＥＤ駆動回路に接続される。
【００１５】
また、本考案に関わるパワー調整可能にセグメント化されたＬＥＤ駆動回路とＬＥＤランプは、電力変換効率の前提で、ＬＥＤランプのパワー調整を実現することを確保でき、効果的に、ＬＥＤランプのコストを減少でき、省エネと環境保護のことに有利がある。
【図面の簡単な説明】
【００１６】
【図１】本考案に関わるセグメント化されたパワー調整可能なＬＥＤ駆動回路の原理を示す図である。
【図２】本考案に関わるセグメント化されたパワー調整可能なＬＥＤ駆動回路の具体回路図である。
【図３】本考案に関わるＬＥＤランプの立体図である。
【図４】本考案に関わるＬＥＤランプの断面図である。
【考案を実施するための形態】
【００１７】
本考案を容易に理解させるために、下記は、図面を参照し、本考案を完全に説明する。この図面に、本考案の好ましい実施形態を示す。しがしながら、本考案は、多くの異なる形態で実施することができ、本明細書に記載の実施形態に限定されるものではない。逆に、これらの実施形態の目的は、更に本考案の内容を明確にする。
【００１８】
図１と図２を参照し、本考案に関わるセグメント化されたパワー調整可能なＬＥＤ駆動回路は、定電流ＩＣチップＵ１と前記定電流ＩＣチップＵ１に接続された電力供給ユニット１と、スイッチ制御ユニット２と、駆動ユニット３を含み、前記駆動ユニット３は、前記スイッチ制御ユニット２に接続され、前記ＬＥＤ駆動回路は、また、パワー調整ユニット４を備え、前記パワー調整ユニット４は、前記定電流ＩＣチップＵ1、前記スイッチ制御ユニット２と前記駆動ユニット３に接続される。
【００１９】
また、前記電力供給ユニット１は、３００Ｖの電圧入力端子、抵抗Ｒ３、抵抗Ｒ４、抵抗Ｒ５、コンデンサＣ１、ダイオードＤ１、コンデンサＣ５と抵抗Ｒ１０を含み、前記定電流ＩＣチップＵ１の内部乗数入力ピンＭＵＬＴは、抵抗Ｒ４と抵抗Ｒ５を介し、３００Ｖの電圧入力端子に接続されており、前記定電流ＩＣチップＵ１のゼロ電流検出ピンＺＣＤは、抵抗Ｒ１０を介し、接地しており、前記コンデンサＣ５は、前記抵抗Ｒ１０の両端に並列に接続されており、前記ダイオードＤ１のアノードは、接地しており、前記ダイオードＤ１のカソードは、前記定電流ＩＣチップＵ１のゼロ電流検出ピンＺＣＤに接続する。
【００２０】
また、前記抵抗Ｒ３とコンデンサＣ１の一端は、前記定電流ＩＣチップＵ１の内部乗数入力ピンＭＵＬＴに接続されており、他の一端は、接地する。
【００２１】
前記スイッチ制御ユニット２は、電界効果トランジスタＱ１、ダイオードＤ３、抵抗Ｒ１５、抵抗Ｒ１６、抵抗Ｒ１１、コンデンサＣ８とコンデンサＣ１０を含み、前記電界効果トランジスタＱ１のゲートは、前記抵抗Ｒ１５を介し、前記定電流ＩＣチップＵ１のゲート駆動ピンＧＡＴＥに接続されており、前記電界効果トランジスタＱ１のドレインは、前記ダイオードＤ３と前記抵抗Ｒ１１を通って、３００Ｖの電圧入力端子に接続されており、前記電界効果トランジスタＱ１のゲートは、前記抵抗Ｒ１６を通って、前記定電流ＩＣチップＵ１の電流検出ピンＣＳに接続される。
【００２２】
前記コンデンサＣ８は、前記抵抗Ｒ１１の両端に並列に接続されており、前記コンデンサＣ１０は、前記電界効果トランジスタＱ１のドレインとゲートとの間に接続される。
【００２３】
前記駆動ユニット３は、昇圧トランスＴ２、ダイオードＤ４、コンデンサＣ１４、抵抗Ｒ１４とコンデンサＣ１１を含み、前記昇圧トランスＴ２の第一の一次コイルの一端は、３００Ｖの電圧入力端子に接続されており、他の一端は、前記電界効果トランジスタＱ１のドレインに接続されている。前記昇圧トランスＴ２の第二の一次コイルの一端は、前記定電流ＩＣチップＵ１のゼロ電流検出ピンＺＣＤに接続されており、他の一端は、接地する。前記昇圧トランスＴ２の一次コイルの一端は、前記コンデンサＣ１４と前記コンデンサＣ１１を介し、ＬＥＤ負荷のアノードに接続する。前記昇圧トランスＴ２の一次コイルの他の一端は、ＬＥＤ負荷のカソードに接続する。
【００２４】
前記ダイオードＤ４のアノードは、前記昇圧トランスＴ２の一次コイルの一端に接続し、前記ダイオードＤ４のカソードは、前記コンデンサＣ１４の一端に接続されており、前記コンデンサＣ１４の他の一端は、ＬＥＤ負荷のカソードに接続する。本考案の実施例に、前記ＬＥＤ負荷のカソードが接地する。
【００２５】
前記パワー調整ユニット４は、多数の並列接続するスイッチ部を含み、各々のスイッチ部は、直列接続するスイッチと抵抗で構成され、各々のスイッチ部の一端は、接地し、他の一端は、前記抵抗Ｒ１６を通って、前記前記定電流ＩＣチップＵ１の電流検出ピンＣＳに接続される。
【００２６】
本考案の実施例に、前記スイッチ部は、三つある。すなわち、前記パワー調整ユニット４は、スイッチＳＷ１、スイッチＳＷ２、スイッチＳＷ３、抵抗Ｒ２１、抵抗Ｒ２２、と抵抗Ｒ２３を含み、前記スイッチＳＷ１は、前記抵抗Ｒ２１と直列に接続してあり、前記スイッチＳＷ２は、前記抵抗Ｒ２２と直列に接続してあり、前記スイッチＳＷ３は、前記抵抗Ｒ２３と直列に接続してある。
【００２７】
本考案の実施例に、前記定電流ＩＣチップＵ１のモデル番号は、ＭＰ４０２１ＤＳとなる。
【００２８】
本考案に関わるパワー調整可能にセグメント化されたＬＥＤ駆動回路の原理は、下記のようにある：
動作する際に、前記定電流ＩＣチップＵ１は、抵抗降下を検出することで、出力電流を制御する。第５ピンの電流検出ピンＣＳで検出された電圧が高ければ高いほどパワーが小さい。逆に、検出された電圧が低ければ低いほどパワーが大きくなる。従って、前記スイッチＳＷ１を取り外したら、前記抵抗Ｒ２１を接続し、前記スイッチＳＷ２を取り外したら、前記抵抗Ｒ２２を接続し、前記スイッチＳＷ３を取り外したら、前記抵抗Ｒ２３を接続し、すなわち、パワーの需要に応じて、抵抗を調整することでパワーを調整できる。その結果、１２Ｗ、１５Ｗ、１８Ｗ、（或いは）さらにセグメント化されたパワー調整を採用し、ＬＥＤランプ、シーリングランプ、及び様々なＬＥＤのセグメント化されたパワー調整に適用され、電力変換効率の前提で、ＬＥＤランプのパワー調整を実現することを確保でき、適当にパワーを選択でき、消費者に効果的な省エネを与える。
【００２９】
また、図３と図４を参照し、本考案は、ＬＥＤランプを提供し、前記ＬＥＤランプは、ランプハウジング１０を含み、前記ンプハウジング１０に設けられた電源２０は、前記セグメント化されたパワー調整可能なＬＥＤ駆動回路の回路基板３０と前記セグメント化されたパワー調整可能なＬＥＤ駆動回路に接続されたＬＥＤ負荷４０を設け、前記ランプハウジング１０は、パワーシフトスイッチ５０を設け、前記パワーシフトスイッチ５０は、前記セグメント化されたパワー調整可能なＬＥＤ駆動回路に接続される。
【００３０】
これまでの技術と比べで、本考案に関わるパワー調整可能にセグメント化されたＬＥＤ駆動回路とＬＥＤランプは、電力変換効率の前提で、ＬＥＤランプのパワー調整を実現することを確保でき、効果的に、ＬＥＤランプのコストを減少でき、省エネと環境保護のことに有利がある。
【００３１】
ここにある本考案の記載と応用は、説明することが目的であり、本考案の範囲を限定されるものではない。ここに開示された実施形態の変形と変更は、可能である。本考案に関わる技術領域の技術人員にとって、実施形態の変形と同等の代替的な部品は、知られている。本考案に関わる技術領域の技術人員は、知っておくべき、本考案の精神と基本的な範囲から逸脱することない場合で、他の特定の形式、結構、配置、比率、および他の部品、材料で本考案を実現することができる。本考案の基本的な範囲と精神から逸脱することない状況で、ここに開示された実施形態を変形と変更することができる。
【００３２】
Ｕ１          定電流ＩＣチップ
１            電力供給ユニット
２            スイッチ制御ユニット
３            駆動ユニット
４            パワー調整ユニット
Ｒ３、Ｒ４、Ｒ５、Ｒ１０                  抵抗
Ｒ１１、Ｒ１５、Ｒ１６                    抵抗
Ｃ１、Ｃ５、Ｃ８、Ｃ１０                  コンデンサ
Ｄ１、Ｄ３                  ダイオード
ＭＵＬＴ                    乗数入力ピン
ＺＣＤ                      ゼロ電流検出ピン
Ｑ１                        電界効果トランジスタ
ＣＳ                        電流検出ピンＣＳ
１０          ランプハウジング
２０          電源
３０          回路基板
４０          ＬＥＤ負荷
【手続補正２】
【補正対象書類名】実用新案登録請求の範囲
【補正対象項目名】全文
【補正方法】変更
【補正の内容】
【実用新案登録請求の範囲】
【請求項１】
セグメント化されたパワー調整可能なＬＥＤ駆動回路に関し、定電流ＩＣチップＵ１と前記定電流ＩＣチップＵ１に接続された電力供給ユニットと、スイッチ制御ユニットと、駆動ユニットを含み、
前記駆動ユニットは、前記スイッチ制御ユニットに接続され、
前記ＬＥＤ駆動回路は、また、パワー調整ユニットを備え、
前記パワー調整ユニットは、前記定電流ＩＣチップＵ1、前記スイッチ制御ユニットと駆動ユニットに接続されることを特徴とする、ＬＥＤ駆動回路。
【請求項２】
前記電力供給ユニットは、３００Ｖの電圧入力端子、抵抗Ｒ３、抵抗Ｒ４、抵抗Ｒ５、コンデンサＣ１、ダイオードＤ１、コンデンサＣ５と抵抗Ｒ１０を含み、前記定電流ＩＣチップＵ１の内部乗数入力ピンＭＵＬＴは、抵抗Ｒ４と抵抗Ｒ５を介し、３００Ｖの電圧入力端子に接続されており、前記定電流ＩＣチップＵ１のゼロ電流検出ピンＺＣＤは、抵抗Ｒ１０を介し、接地しており、前記コンデンサＣ５は、前記抵抗Ｒ１０の両端に並列に接続されており、前記ダイオードＤ１のアノードは、接地しており、前記ダイオードＤ１のカソードは、前記定電流ＩＣチップＵ１のゼロ電流検出ピンＺＣＤに接続することを特徴とする請求項１に記載のセグメント化されたパワー調整可能なＬＥＤ駆動回路。
【請求項３】
前記抵抗Ｒ３とコンデンサＣ１の一端は、前記定電流ＩＣチップＵ１の内部乗数入力ピンＭＵＬＴに接続されており、他の一端は、接地することを特徴とする請求項２に記載のセグメント化されたパワー調整可能なＬＥＤ駆動回路。
【請求項４】
前記スイッチ制御ユニットは、電界効果トランジスタＱ１、ダイオードＤ３、抵抗Ｒ１５、抵抗Ｒ１６、抵抗Ｒ１１、コンデンサＣ８とコンデンサＣ１０を含み、前記電界効果トランジスタＱ１のゲートは、前記抵抗Ｒ１５を介し、前記定電流ＩＣチップＵ１のゲート駆動ピンＧＡＴＥに接続されており、前記電界効果トランジスタＱ１のドレインは、前記ダイオードＤ３と前記抵抗Ｒ１１を通って、３００Ｖの電圧入力端子に接続されており、前記電界効果トランジスタＱ１のゲートは、前記抵抗Ｒ１６を通って、前記定電流ＩＣチップＵ１の電流検出ピンＣＳに接続されることを特徴とする請求項３に記載のセグメント化されたパワー調整可能なＬＥＤ駆動回路。
【請求項５】
前記コンデンサＣ８は、前記抵抗Ｒ１１の両端に並列に接続されており、前記コンデンサＣ１０は、前記電界効果トランジスタＱ１のドレインとゲートとの間に接続されることを特徴とする請求項４に記載のセグメント化されたパワー調整可能なＬＥＤ駆動回路。
【請求項６】
前記駆動ユニットは、昇圧トランスＴ２、ダイオードＤ４、コンデンサＣ１４、コンデンサＣ１１と抵抗Ｒ１４を含み、前記昇圧トランスＴ２の第一の一次コイルの一端は、３００Ｖの電圧入力端子に接続されており、他の一端は、前記電界効果トランジスタＱ１のドレインに接続されている。前記昇圧トランスＴ２の第二の一次コイルの一端は、前記定電流ＩＣチップＵ１のゼロ電流検出ピンＺＣＤに接続されており、他の一端は、接地する。前記昇圧トランスＴ２の一次コイルの一端は、前記コンデンサＣ１４と前記コンデンサＣ１１を介し、ＬＥＤ負荷のアノードに接続し、前記昇圧トランスＴ２の一次コイルの他の一端は、ＬＥＤ負荷のカソードに接続することを特徴とする請求項５に記載のセグメント化されたパワー調整可能なＬＥＤ駆動回路。
【請求項７】
前記ダイオードＤ４のアノードは、前記昇圧トランスＴ２の一次コイルの一端に接続し、前記ダイオードＤ４のカソードは、前記コンデンサＣ１４の一端に接続されており、前記コンデンサＣ１４の他の一端は、ＬＥＤ負荷のカソードに接続することを特徴とする請求項６に記載のセグメント化されたパワー調整可能なＬＥＤ駆動回路。
【請求項８】
前記パワー調整ユニットは、多数の並列接続するスイッチ部を含み、各々のスイッチ部は、直列接続するスイッチと抵抗で構成され、各々のスイッチ部の一端は、接地し、他の一端は、前記抵抗Ｒ１６を通って、前記前記定電流ＩＣチップＵ１の電流検出ピンＣＳに接続されることを特徴とする請求項７に記載のセグメント化されたパワー調整可能なＬＥＤ駆動回路。
【請求項９】
前記スイッチ部は、三つあることを特徴とする請求項８に記載のセグメント化されたパワー調整可能なＬＥＤ駆動回路。
【請求項１０】
ＬＥＤランプであり、ランプハウジングを含み、前記ランプハウジングに設けられた電源は、上記請求項１〜９のいずれか一に記載の前記セグメント化されたパワー調整可能なＬＥＤ駆動回路の回路基板と前記セグメント化されたパワー調整可能なＬＥＤ駆動回路に接続されたＬＥＤ負荷を設け、前記ランプハウジングは、パワーシフトスイッチを設け、前記パワーシフトスイッチは、前記セグメント化されたパワー調整可能なＬＥＤ駆動回路に接続されることを特徴とする、ＬＥＤランプ。
【手続補正書】
【提出日】平成27年11月4日(2015.11.4)
【手続補正１】
【補正対象書類名】実用新案登録請求の範囲
【補正対象項目名】請求項６
【補正方法】変更
【補正の内容】
【請求項６】
前記駆動ユニットは、昇圧トランスＴ２、ダイオードＤ４、コンデンサＣ１４、コンデンサＣ１１と抵抗Ｒ１４を含み、前記昇圧トランスＴ２の第一の一次コイルの一端は、３００Ｖの電圧入力端子に接続されており、他の一端は、前記電界効果トランジスタＱ１のドレインに接続され、前記昇圧トランスＴ２の第二の一次コイルの一端は、前記定電流ＩＣチップＵ１のゼロ電流検出ピンＺＣＤに接続されており、他の一端は、接地する。前記昇圧トランスＴ２の一次コイルの一端は、前記コンデンサＣ１４と前記コンデンサＣ１１を介し、ＬＥＤ負荷のアノードに接続し、前記昇圧トランスＴ２の一次コイルの他の一端は、ＬＥＤ負荷のカソードに接続することを特徴とする請求項５に記載のセグメント化されたパワー調整可能なＬＥＤ駆動回路。
【手続補正２】
【補正対象書類名】実用新案登録請求の範囲
【補正対象項目名】請求項８
【補正方法】変更
【補正の内容】
【請求項８】
前記パワー調整ユニットは、多数の並列接続するスイッチ部を含み、各々のスイッチ部は、直列接続するスイッチと抵抗で構成され、各々のスイッチ部の一端は、接地し、他の一端は、前記抵抗Ｒ１６を通って、前記定電流ＩＣチップＵ１の電流検出ピンＣＳに接続されることを特徴とする請求項７に記載のセグメント化されたパワー調整可能なＬＥＤ駆動回路。